(57)【特許請求の範囲】
【請求項１】
平坦な地面（Ｇ）上に設置される平面視縦細長形の左右一対の浅皿状タイヤ消毒槽（１）（１）を備え、左右一対の該タイヤ消毒槽（１）（１）は、地面（Ｇ）に沿って水平方向に横桁部材（９）（９）が架け渡されて相互に連結され、かつ、水平方向左右外方に突出するパイプ支持部材（７）（７）が付設され、
該パイプ支持部材（７）（７）の外端（７ａ）（７ａ）に、左右一対の脚部（２１）（２１）を立設すると共に、左右一対の該脚部（２１）（２１）の上部に水平状の梁部（２２）を架け渡して、門型のアーチパイプ部材（２）を架設し、該アーチパイプ部材（２）には、複数の噴射ノズル（２０）が全て内側に向けて配設され、
上記消毒槽（１）（１）は、水平面状のタイヤ転動底面部（１６）と、該タイヤ転動底面部（１６）の左右前後の周縁部に沿って起立壁状に形成される包囲状周壁部（１５）とを、有し、
使用状態に於て、該周壁部（１５）に包囲された上記タイヤ転動底面部（１６）上に消毒液（Ａ）が注入され、左右一対の上記消毒槽（１）（１）上を通過する車両（Ｖ）のタイヤ（Ｔ）（Ｔ）が上記消毒液（Ａ）に浸漬され、かつ、複数の上記噴射ノズル（２０）から消毒液（Ａ）を噴射して、上記アーチパイプ部材（２）の内側を通過する上記車両（Ｖ）の上面及び両側面に消毒液（Ａ）を吹き付けるように構成されたことを特徴とする車両消毒装置。
【請求項２】
上記消毒槽（１）は、上記周壁部（１５）の前壁（１５ａ）及び後壁（１５ｂ）に、上記車両（Ｖ）のタイヤ（Ｔ）が乗り越えるための側面視山型のスロープ部（１１）を有する請求項１記載の車両消毒装置。
【請求項３】
上記スロープ部（１１）は、前後各方向へ降下する傾斜部（１８）（１８）を有する複数のスロープ板（１９）を左右に並設して櫛歯状に構成され、しかも、上記前壁（１５ａ）及び後壁（１５ｂ）を上記スロープ板（１９）の前後中間にて補強する補強板を兼用した請求項２記載の車両消毒装置。
【請求項４】
上記スロープ部（１１）は、上記スロープ板（１９）の下端縁（１９Ａ）に倒立Ｕ字状の切欠部（１３）を切欠形成し、
上記車両（Ｖ）の下面に消毒液（Ａ）を吹き付ける下噴射ノズル（３ａ）を有する下部洗浄パイプ（３）を、上記切欠部（１３）に挿通して着脱自在に取着している請求項３記載の車両消毒装置。
【請求項５】
上記消毒槽（１）は、上記アーチパイプ部材（２）を前後から引っ張るワイヤ（６）（６）の下端が固着される一対のワイヤ連結部材（８）（８）が、地面（Ｇ）に沿って水平方向左右外方に突出状として付設されている請求項１，２，３又は４記載の車両消毒装置。
【発明の詳細な説明】
【技術分野】
【０００１】
本発明は、車両消毒装置に関する。
【背景技術】
【０００２】
従来、口蹄疫や鳥インフルエンザ等の伝染病から家畜を保護するために、畜産施設に出入りする車両に消毒液を散布して、家畜伝染病の原因となるウィルスや細菌の侵入を防止する感染拡大防止策が講じられている（特許文献１参照）。
【先行技術文献】
【特許文献】
【０００３】
【特許文献１】特開２００７−８９９５１号公報
【発明の概要】
【発明が解決しようとする課題】
【０００４】
家畜伝染病の防疫を確実に行うには、土や家畜の排泄物が付着している車両のタイヤを特に重点的に消毒することが大事であり、消毒液の散布だけでは防疫が不十分である。
図１１に示すように、従来の車両消毒装置は、まず地面Ｇを掘り下げてコンクリート打設を行って、窪地Ｐを形成し、その周辺に設けられていた。即ち、従来の車両消毒装置は、消毒液Ａの供給を行なう消毒液供給器４０を備え、窪地Ｐ内を通過する車両の上面及び側面に向けて消毒液Ａを噴射する複数の噴射ノズル４２…を備えると共に左右の脚を地面Ｇの上記窪地Ｐの左右側辺中央に打ち込んで立設したゲート４１を設け、車両の下面を消毒するための下噴射ノズル４４…を上向きに備える下部洗浄パイプ４３を窪地Ｐの前辺又は後辺に形成した凹溝内に敷設し、さらに、窪地Ｐに消毒液Ａを注入して設置した消毒槽として、ここに車両を通過させてタイヤを消毒液Ａに浸漬することで、消毒を行っていた。
しかし、窪地Ｐを掘り下げるには、地面を掘削する工事が必要であり、重機を使った作業が非常に面倒で、かつ、コンクリート打設も必要で、車両消毒装置の設置に多大な労力を要していた。また、設置に時間（日数）も掛かり、通常の道路の横にバイパス道路を設けて、そこに掘削とコンクリート打設した消毒槽を形成することは一層多大な労力と日数を要した。
【０００５】
そこで、本発明は、地面の掘削工事とコンクリート打設が不要で、設置・移設が容易な車両消毒装置を提供することを目的とする。
【課題を解決するための手段】
【０００６】
本発明に係る車両消毒装置は、平坦な地面上に設置される平面視縦細長形の左右一対の浅皿状タイヤ消毒槽を備え、左右一対の該タイヤ消毒槽は、地面に沿って水平方向に横桁部材が架け渡されて相互に連結され、かつ、水平方向左右外方に突出するパイプ支持部材が付設され、該パイプ支持部材の外端に、左右一対の脚部を立設すると共に、左右一対の該脚部の上部に水平状の梁部を架け渡して、門型のアーチパイプ部材を架設し、該アーチパイプ部材には、複数の噴射ノズルが全て内側に向けて配設され、上記消毒槽は、水平面状のタイヤ転動底面部と、該タイヤ転動底面部の左右前後の周縁部に沿って起立壁状に形成される包囲状周壁部とを、有し、使用状態に於て、該周壁部に包囲された上記タイヤ転動底面部上に消毒液が注入され、左右一対の上記消毒槽上を通過する車両のタイヤが上記消毒液に浸漬され、かつ、複数の上記噴射ノズルから消毒液を噴射して、上記アーチパイプ部材の内側を通過する上記車両の上面及び両側面に消毒液を吹き付けるように構成されたものである。
【０００７】
また、上記消毒槽は、上記周壁部の前壁及び後壁に、上記車両のタイヤが乗り越えるための側面視山型のスロープ部を有するものである。
また、上記スロープ部は、前後各方向へ降下する傾斜部を有する複数のスロープ板を左右に並設して櫛歯状に構成され、しかも、上記前壁及び後壁を上記スロープ板の前後中間にて補強する補強板を兼用したものである。
また、上記スロープ部は、上記各スロープ板の下端縁に倒立Ｕ字状の切欠部を切欠形成し、上記車両の下面に消毒液を吹き付ける下噴射ノズルを有する下部洗浄パイプを、上記切欠部に挿通して着脱自在に取着しているものである。
また、上記消毒槽は、上記アーチパイプ部材を前後から引っ張るワイヤの下端が固着される一対のワイヤ連結部材が、地面に沿って水平方向左右外方に突出状として付設されているものである。
【発明の効果】
【０００８】
本発明の車両消毒装置によれば、タイヤ消毒槽を人力で運搬して設置できる。よって、車両のタイヤが通過する地面上に、少ない人員で、容易に設置・移設でき、作業が短時間で済み、感染力の強い家畜伝染病に迅速かつ柔軟な対応が可能となる。また、消毒液の殺菌能力を長持ちさせることができ、タイヤを確実に消毒して家畜伝染病の感染被害拡大を防止できる。特に、運搬と設置と撤去が迅速かつ容易であり、しかも、平坦な道路等の地面にそのまま設置が可能となる。
【図面の簡単な説明】
【０００９】
【図１】本発明に係る車両消毒装置の実施の一形態を示した平面図である。
【図２】車両消毒装置を示した正面図である。
【図３】車両消毒装置を示した側面図である。
【図４】タイヤ消毒槽の一例を示した拡大平面図である。
【図５】図４のＸ−Ｘ断面図である。
【図６】図４のＹ−Ｙ拡大断面図である。
【図７】図４のＺ−Ｚ拡大断面図である。
【図８】スロープ部を分解状態で示した側面図である。
【図９】スロープ部を示した断面側面図である。
【図１０】小型車両が通過している状態を示した正面図である。
【図１１】従来の車両消毒装置を示した斜視図である。
【発明を実施するための形態】
【００１０】
以下、実施の形態を示す図面に基づき本発明を詳説する。
図１〜図３に示すように、本発明の車両消毒装置は、牧場や畜舎等の畜産施設に進入・退出する車両Ｖを、消毒液Ａによって消毒・殺菌する目的で使用され、複数の構成部に分解して運搬可能であり、かつ、平坦な地面等にそのまま（組立て）設置が可能な車両消毒ユニット１０として構成されている。本発明の車両消毒装置は、平坦な地面Ｇ上に設置される平面視縦細長状の左右一対の浅皿状タイヤ消毒槽１，１を備えている。
タイヤ消毒槽１，１は、車両Ｖが通行する平坦な地面Ｇ上に運搬して設置することが可能であり、図中矢印で示した車両進行方向Ｓから走行してくる車両Ｖの進路上で、左右のタイヤＴ，Ｔが乗り上げるように、タイヤＴ，Ｔの軌道に沿って平行に２本並べて設置されている。タイヤ消毒槽１，１には、消毒液供給器４にて自動希釈して所定濃度で供給される消毒液Ａが入れてある。消毒液Ａは、消毒槽１，１上を転動するタイヤＴ，Ｔに付着した家畜伝染病の病原性ウィルスを不活性化し、細菌を含有した土を洗い落として、畜産施設の家畜を伝染病感染のリスクから保護している。また、逆に、畜産施設等から他の地域にウィルスや細菌が持ち出されることを防止している。タイヤ消毒槽１，１は、大小種々の車両ＶのタイヤＴ，Ｔの走行軌跡の輪幅より僅かに大きく設定した幅寸法Ｗ１，Ｗ１を有し、間隔寸法Ｂ１をもって相互に隔離されている。
図２に於て、大型の車両Ｖが、最大幅寸法Ｒ０のタイヤＴ，Ｔをもってタイヤ消毒槽１，１上を通過している状態を示している。これに対して、図１０は、小型の車両Ｖ´が、最小幅寸法Ｒ１のタイヤＴ，Ｔをもってタイヤ消毒槽１，１上を通過している状態を示している。車両消毒装置は、図２に示すような大型車両Ｖから、図１０に示すような小型車両Ｖ´まで、寸法の異なるタイヤＴ，Ｔの消毒に対応できるように構成されている。タイヤ消毒槽１，１は、最小幅寸法Ｒ１のタイヤＴ，Ｔの各内面が通過する軌道から、最大幅寸法Ｒ０のタイヤＴ，Ｔの各外面が通過する軌道までを包含するように、配設される。タイヤ消毒槽１，１は、全ての車両Ｖ，Ｖ´のタイヤＴ，Ｔが必ずその上を通過できるように、間隔寸法Ｂ１をもって相互に隔離し、かつ、幅寸法Ｗ１，Ｗ１を大小種々の車両のタイヤＴ，Ｔがタイヤ消毒槽１，１内を通過可能に設定している。
【００１１】
本発明の車両消毒装置は、左右一対のタイヤ用消毒槽１，１を、着脱自在に連結する横桁部材９，９を有している。横桁部材９，９は、車両進行方向Ｓに対して直交方向に配設され、各消毒槽１に着脱自在に取付けられている。横桁部材９，９は、地面Ｇに沿って水平状に、左右の消毒槽１，１の間を架け渡すように設けられている。横桁部材９，９は、左右一対の消毒槽１，１に突き合わされる突っ支え棒として、消毒槽１，１を平行に保持している。この構成により、車両Ｖが消毒槽１，１上を走行する際に、消毒槽１，１の消毒液Ａ中に左右のタイヤＴ，Ｔが確実に通過し、消毒が十分に行われる。
【００１２】
車両消毒装置は、消毒槽１，１上を通過する車両Ｖの上面及び両側面に消毒液Ａを吹き付ける複数の噴射ノズル２０を有する門型のアーチパイプ部材２を具備している。消毒槽１，１には、地面Ｇに沿って水平方向左右外方に突出するパイプ支持部材７，７が付設され、アーチパイプ部材２の左右各下端を、パイプ支持部材７，７の外端７ａ，７ａに着脱自在に立設している。
アーチパイプ部材２は、左右の脚部２１，２１に、夫々３つずつ横向きの噴射ノズル２０…を有し、脚部２１，２１の上部に架け渡した水平状の梁部２２に、下向きの噴射ノズル２０…を３つ有している。噴射ノズル２０…は、車両Ｖの上面及び両側面に満遍なく消毒液Ａが当たるように配設され、全て内側に向けて消毒液Ａを噴射するように設けられている。パイプ支持部材７，７の外端７ａ，７ａには、アーチパイプ部材２の左右の脚部２１，２１の下端を支持する支柱１２，１２が付設されている。支柱１２は、地面Ｇ上でアーチパイプ部材２の荷重を支持する基板としてのベースプレート１２ａ上に、柱部１２ｂを立設している。アーチパイプ部材２は、左右の脚部２１，２１の各下端を、支柱１２，１２の柱部１２ｂ，１２ｂに着脱自在に（ボルトや締付バンド等の）固定具で固着している。脚部２１，２１の中間位置には、ワイヤ６，６が連結され前後方向から均等な力で引っ張られている。
【００１３】
パイプ支持部材７，７は、金属浅皿型の消毒槽１，１にアーチパイプ部材２を連結すると共に、アーチパイプ部材２の脚部２１，２１を消毒槽１，１の外端から水平方向左右外方に所定の突出寸法Ｃをもって離れた位置に保持している。この構成により、車両消毒装置は、タイヤＴ，Ｔが左右の消毒槽１，１上を通過した際に、消毒槽１，１に連結したアーチパイプ部材２の左右方向のゲート幅寸法Ｂ２を十分に大きく確保し、余裕をもって車両Ｖが通行するように設置されている。
車両消毒装置は、平坦な地面Ｇ上に、車両ＶのタイヤＴ，Ｔに対応可能な（小さな）幅寸法Ｗ１，Ｗ１をもって消毒槽１，１を配設し、パイプ支持部材７，７により消毒槽１，１から突出寸法Ｃをもって離れた位置にアーチパイプ部材２の脚部２１，２１を立設し、アーチパイプ部材２を車両Ｖの車体に干渉することのないように設置している。
【００１４】
消毒槽１は、アーチパイプ部材２を前後から引っ張るワイヤ６，６の下端が固着される一対のワイヤ連結部材８，８が、地面Ｇに沿って水平方向左右外方に突出状として付設されている。
ワイヤ連結部材８，８は、ワイヤ６，６が車両Ｖに干渉しないように水平方向左右外方に突出している。ワイヤ６，６は、アーチパイプ部材２の脚部２１，２１の内側に係着され、アーチパイプ部材２が前後方向に揺動しないように固定している。ワイヤ６，６は、脚部２１，２１を左右外方に向けて引っ張っている。ワイヤ６，６によって、アーチパイプ部材２の脚部２１，２１の中間高さ部位が左右外方に張設されることで、梁部２２に水平方向左右外方への張力が作用している。つまり、アーチパイプ部材２の梁部２２は、常に水平方向左右外方へ引っ張られ、座屈変形しないように支持されている。なお、アーチパイプ部材２の梁部２２には、脚部２１，２１の上端部に固着された座屈防止用ワイヤが連結されている。
【００１５】
車両消毒装置は、車両Ｖの下面に消毒液Ａを吹き付ける下噴射ノズル３ａを有する下部洗浄パイプ３を具備している。下部洗浄パイプ３は、消毒槽１の車両進行方向Ｓ後方寄りに、着脱自在に取着されている。下噴射ノズル３ａ…は、車両Ｖの下面に満遍なく消毒液Ａが当たるように３つ配設され、全て上側に向けて消毒液Ａを噴射するように設けられている。
消毒槽１の車両進行方向Ｓ前方寄りには、操作ボックス５が設けられている。操作ボックス５は、地面Ｇに沿って水平に突設した連結部材５ａの外端に立てた支柱５ｂの上部に設けられ、アーチパイプ部材２及び下部洗浄パイプ３による消毒液Ａの噴射を開始させるスイッチを備えている。操作ボックス５のスイッチを押すと、消毒液Ａの噴射が開始され、噴射開始からタイマー設定時間経過後に自動的に噴射を停止するように構成されている。なお、タイマー設定時間は、操作ボックス５において調整が可能となっている。
【００１６】
図４〜図６に示すように、消毒槽１は、幅寸法Ｗ１が７００ｍｍ〜１０００ｍｍ、長さ寸法Ｌ１が３.５ｍ〜５.０ｍの平面視縦細長形に形成され、タイヤＴが転動可能なタイヤ転動底面部１６を有し、かつ、タイヤ転動底面部１６の左右前後の周縁部に沿って周壁部１５を備えている。消毒槽１の底面から周壁部１５の上端面までの高さ寸法Ｈ１は、３０ｍｍ〜２００ｍｍに設定されている。周壁部１５は、平面視矩形の包囲状の起立壁として形成され、車両進行方向Ｓ前方の前壁１５ａと、後方の後壁１５ｂと、側壁１５ｃ，１５ｃとを有している。周壁部１５は、側壁１５ｃ，１５ｃの外面に、複数の把手１４…を並べて突設している。消毒槽１は、周壁部１５に包囲されたタイヤ転動底面部１６上に、タイヤＴが乗り上げて転動するように構成している。タイヤ転動底面部１６は、複数の補強部材１６ａ…を車両進行方向Ｓの所定ピッチ毎に取付けて、タイヤＴから受ける荷重に耐え得る強度に補強されている。消毒槽１には、図外の消毒液供給器４から所定量の消毒液Ａが注入され、タイヤ転動底面部１６から液面までの深さ寸法Ｄは、２０ｍｍ〜１８０ｍｍになるように調整されている。
【００１７】
消毒槽１は、その周壁部１５の前壁１５ａ及び後壁１５ｂに、車両進行方向Ｓ（又はその逆の方向）から進入してくるタイヤＴが乗り越えるための側面視山型のスロープ部１１を有している。
スロープ部１１は、前後各方向へ降下する傾斜部１８，１８を有する複数のスロープ板１９を左右に並設して櫛歯状に構成され、しかも、前壁１５ａ及び後壁１５ｂを、スロープ板１９の前後中間にて補強する補強板を兼用している。
スロープ板１９は、周壁部１５の前壁１５ａ及び後壁１５ｂの上端面から地面Ｇ及びタイヤ転動底面部１６まで緩やかな勾配で降下する傾斜部１８，１８を有している。傾斜部１８，１８の勾配は、１０°〜３０°に設定されている。スロープ板１９は、厚さ寸法Ｆが６ｍｍ〜８ｍｍの厚手の金属板にて形成されている。スロープ板１９は、周壁部１５の前壁１５ａ及び後壁１５ｂに対して垂直に、かつ、相互に平行に並べられている。
【００１８】
消毒槽１は、周壁部１５の後壁１５ｂに有する後方のスロープ部１１に、下部洗浄パイプ３を取り付けている。下部洗浄パイプ３は、櫛歯状に並べられた平行なスロープ板１９，１９間に、上方に向けて消毒液Ａを噴射する下噴射ノズル３ａ…を配設している。
図８と図９に示すように、スロープ部１１は、スロープ板１９の下端縁１９Ａに倒立Ｕ字状の切欠部１３を切欠形成し、下部洗浄パイプ３を、切欠部１３に挿通して着脱自在に取着している。後方のスロープ部１１は、組立式であって、スロープ板１９の後半部分を形成する取付部材２７が、消毒槽１の後壁１５ｂに着脱自在に取着されている。取付部材２７は、下端縁を切欠いて形成した倒立Ｕ字状の切欠部１３を有し、切欠部１３内に下部洗浄パイプ３を装着し、下方からＵ字型の配管固定板２８を取付けて、下部洗浄パイプ３を押圧固定している。取付部材２７は、後壁１５ｂに突設したボルト部２６が挿通される貫通孔２７ａを有し、ナット２９にて消毒槽１に締着固定されている。配管固定板２８は、ボルト・ナットにて取付部材２７に固定されている。
【００１９】
図４及び図５に示すように、消毒槽１は、前半部材３１と後半部材３２との２部品を組み合わせて一体に構成されている。言い換えると、消毒槽１は、前半部材３１と後半部材３２とが着脱自在に連結される連結部３０を備えており、２部品に分割することが可能である。つまり、消毒槽１は、前半部材３１と後半部材３２とを各々分割して運搬可能であって、１人〜２人の人員で持ち運びできるように構成されている。
前半部材３１及び後半部材３２は、金属製で、夫々の重量が２５ｋｇ〜３５ｋｇになるように作製されている。前半部材３１及び後半部材３２は、各左右外側面に把手１４，１４を２つずつ配設している。前半部材３１及び後半部材３２は、単独で水平状のまま持ち上げられた際に、把手１４…に荷重が均等に掛かるように重量バランスを考慮して設計されている。
【００２０】
図７に示すように、消毒槽１は、連結部３０に、消毒液Ａの漏出を防止するパッキン１７を備えている。パッキン１７は、耐腐食ゴム製で、前半部材３１の後端に設けられた接合板部３１ａと、後半部材３２の前端に設けられた接合板部３２ａとの間に介装されている。消毒槽１は、パッキン１７を介して接合板部３１ａ，３２ａをボルト・ナットにて締結している。
【００２１】
上述した本発明の車両消毒装置の使用方法（作用）について説明する。
図１、図２、図３に示すように、車両消毒装置を、車両Ｖの通行する道路等の平坦な地面Ｇ上に設置する。タイヤ消毒槽１，１を、夫々２つの部品（前半部材３１と後半部材３２）に分割して運搬し、タイヤＴ，Ｔの軌道に沿うように設置する。前半部材３１と後半部材３２とを、ボルト・ナットを用いて連結し、横桁部材９，９を架け渡して左右のタイヤ消毒槽１，１を相互に連結する。左右並列状に配設され一体に連結されたタイヤ消毒槽１，１に、パイプ支持部材７，７、ワイヤ連結部材８，８、操作ボックス５を取着して、パイプ支持部材７，７の外端７ａ，７ａにアーチパイプ部材２を立設し、ワイヤ６，６で固定する。そして、タイヤ消毒槽１，１の後方のスロープ部１１に、下部洗浄パイプ３を取付ける。
このように、車両消毒装置を部品毎に分解して運搬可能な車両消毒ユニット１０としたことにより、地面Ｇを掘り下げる工事をすることなく平坦な地面Ｇ上にタイヤ消毒槽１，１を設置し、基台としての消毒槽１，１に着脱自在の構成部品を取付けて、迅速に車両消毒装置を組み立て得る。
【００２２】
タイヤ消毒槽１，１に、消毒液供給器４から供給される消毒液Ａを注入すると共に、アーチパイプ部材２及び下部洗浄パイプ３に消毒液供給器４から消毒液Ａを流入するためのホースを接続する。
車両Ｖの運転手又は作業員が、操作ボックス５のスイッチを押すと、アーチパイプ部材２の噴射ノズル２０…と下部洗浄パイプ３の下噴射ノズル３ａ…から消毒液Ａがジェット状乃至霧状に噴射される。車両Ｖは、ゆっくりと消毒槽１，１上に進入し、車体の上面、両側面、下面及びタイヤＴ，Ｔを消毒する。この際、車両ＶのタイヤＴ，Ｔは、スロープ部１１をスムーズに昇降して周壁部１５の前壁１５ａ及び後壁１５ｂを乗り越える。消毒槽１，１上を通過するタイヤＴ，Ｔは、消毒液Ａに浸漬されて確実に消毒される。また、スロープ部１１を櫛歯状に構成しているため、下部洗浄パイプ３の下噴射ノズル３ａ…から上方に噴射された消毒液Ａが、確実に車両Ｖの下面を洗浄・消毒する。
なお、車両進行方向Ｓとは反対方向から車両Ｖが通行してくる場合には、作業員が操作ボックス５のスイッチを押してから、車両Ｖが消毒槽１，１上に進入する。
【００２３】
なお、本発明の車両消毒装置は、設計変更可能であって、例えば、噴射ノズル２０の個数は増減可能であり、また、操作ボックス５を省略して、消毒槽１，１の前後位置に対面状の光電式センサーを設けるも好ましい。この光電式センサーを、消毒槽１，１の前後位置に設けることで、消毒すべき車両Ｖを自動検知して消毒液Ａの噴射を開始及び停止するので、作業員がスイッチを押す必要がなく、非常に便利である。
ところで、本発明は車両洗滌装置として、上述した構成を用いることもできる。即ち、消毒槽１を洗滌水槽とし、消毒液供給器４を洗滌水供給器とし、車両消毒ユニット１０を車両洗滌ユニットとし、消毒液Ａとしては洗滌水とすれば良い。このように構成した車両洗滌装置であれば、洗滌水槽を人力や車両で容易に運搬でき、車両ＶのタイヤＴ，Ｔが通過する平坦な地面Ｇ上に、容易に設置や移設が可能となる。かつ、車両の左右のタイヤＴ，Ｔが正確な左右間隔に保持された洗滌槽にて確実に美しく洗滌できる。また、洗滌すべき車両をスムーズに侵入・退出できて、通過も確実容易であり、車両下面も洗滌され易い。  
【００２４】
以上のように、本発明に係る車両消毒装置は、平坦な地面Ｇ上に設置される平面視縦細長形の左右一対の浅皿状タイヤ消毒槽１，１を備えたので、消毒槽１，１を人力や車両にて容易に運搬できる。よって、車両ＶのタイヤＴ，Ｔが通過する平坦なままの地面Ｇ上に、少ない人員で、容易に設置・移設できる。また、消毒液Ａの殺菌能力を長持ちさせることができ、タイヤＴ，Ｔを確実に消毒して家畜伝染病の感染被害拡大を防止できる。
【００２５】
また、左右一対のタイヤ消毒槽１，１を、着脱自在に連結する横桁部材９，９を有するので、左右一対の消毒槽１，１に突き合わされる突っ支え棒として、消毒槽１，１を平行に保持し、車両Ｖが消毒槽１，１上を走行する際に、消毒槽１，１の消毒液Ａ中に左右のタイヤＴ，Ｔが確実に通過し、消毒が十分に行われる。
【００２６】
また、消毒槽１，１は、地面Ｇに沿って水平方向左右外方に突出するパイプ支持部材７，７が付設され、消毒槽１，１上を通過する車両Ｖの上面及び両側面に消毒液Ａを吹き付ける複数の噴射ノズル２０を有する門型のアーチパイプ部材２の左右各下端を、パイプ支持部材７，７の外端７ａ，７ａに着脱自在に立設したので、消毒槽１，１を、大小種々の車両ＶのタイヤＴ，Ｔに対応可能な小さな幅寸法Ｗ１，Ｗ１をもって配設でき、かつ、アーチパイプ部材２の左右方向のゲート幅寸法Ｂ２を十分に大きく確保でき、余裕をもって車両Ｖが通行できる。
【００２７】
また、消毒槽１は、その周壁部１５の前壁１５ａ及び後壁１５ｂに、車両ＶのタイヤＴが乗り越えるための側面視山型のスロープ部１１を有するので、タイヤＴ，Ｔがスムーズに消毒槽１，１上を通過できる。
【００２８】
また、スロープ部１１は、前後各方向へ降下する傾斜部１８，１８を有する複数のスロープ板１９を左右に並設して櫛歯状に構成され、しかも、前壁１５ａ及び後壁１５ｂをスロープ板１９の前後中間にて補強する補強板を兼用したので、前壁１５ａ及び後壁１５ｂがタイヤＴ，Ｔの荷重を受けて屈曲・破損することがなく、しかも、タイヤ消毒槽１，１を軽量化できる。
【００２９】
また、スロープ部１１は、スロープ板１９の下端縁１９Ａに倒立Ｕ字状の切欠部１３を切欠形成し、車両Ｖの下面に消毒液Ａを吹き付ける下噴射ノズル３ａを有する下部洗浄パイプ３を、切欠部１３に挿通して着脱自在に取着しているので、タイヤ消毒槽１，１に下部洗浄パイプ３を一体状に連結して設置できる。下部洗浄パイプ３を、タイヤＴ，Ｔの荷重により破損しないように保護できる。下部洗浄パイプ３の下噴射ノズル３ａ…から上方に噴射される消毒液Ａにより、確実に車両Ｖの下面を洗浄・消毒できる。
【００３０】
また、消毒槽１は、アーチパイプ部材２を前後から引っ張るワイヤ６，６の下端が固着される一対のワイヤ連結部材８，８が、地面Ｇに沿って水平方向左右外方に突出状として付設されているので、ワイヤ６，６が車両Ｖに干渉せず、余裕をもって車両Ｖが通行できる。また、アーチパイプ部材２が前後に揺動せず安全である。
また、上記消毒槽１の前後位置に光電式センサーを設けた構成とすれば、消毒すべき車両Ｖを自動検知して消毒液Ａの噴射を開始及び停止するので、作業員がスイッチを押す必要がなく、非常に便利である。
【符号の説明】
【００３１】
１  タイヤ消毒槽
２  アーチパイプ部材
３  下部洗浄パイプ
３ａ  下噴射ノズル
６  ワイヤ
７  パイプ支持部材
７ａ  外端
８  ワイヤ連結部材
９  横桁部材
１１  スロープ部
１３  切欠部
１５  周壁部
１５ａ  前壁
１５ｂ  後壁
１６  タイヤ転動底面部
１８  傾斜部
１９  スロープ板
１９Ａ  下端縁
２０  噴射ノズル
２１  脚部
２２  梁部
Ｇ  地面
Ｖ  車両
Ａ  消毒液
Ｔ  タイヤ
【図１】
0005235954.tif 000002
【図２】
0005235954.tif 000003
【図３】
0005235954.tif 000004
【図４】
0005235954.tif 000005
【図５】
0005235954.tif 000006
【図６】
0005235954.tif 000007
【図７】
0005235954.tif 000008
【図８】
0005235954.tif 000009
【図９】
0005235954.tif 000010
【図１０】
0005235954.tif 000011
【図１１】
0005235954.tif 000012